(57)【要約】【課題】光学部品に集中荷重がかかることを抑制しつつ、光学部品を湾曲させる。【解決手段】シリンドリカルミラー３０のミラー本体１０４の長手方向の一方の端部には延出部材１５０を有している。同様に他方の端部にも延出部材１６０を有している。そして、延出部材１５０，１６０に荷重をかけ延出部材１５０、１６０を光ビームが走査する方向に変位させると、支持孔１１０、１１２部分に曲げモーメントが発生し、シリンドリカルミラー３０が湾曲する。【選択図】図３
2008058414.tif 000002
【特許請求の範囲】
【請求項１】
光ビームを反射、又は整形する光学部品が支持される部分に曲げモーメントを発生させる曲げモーメント発生手段を有することを特徴とする光学部品湾曲装置。
【請求項２】
光ビームを反射、又は整形する光学部品と、
前記光学部品が支持される部分に曲げモーメントを発生させる曲げモーメント発生手段と、
前記曲げモーメント発生手段の曲げモーメントを調整し、前記光学部品の湾曲量を調整する調整手段と、
を備えることを特徴とする光学装置。
【請求項３】
光ビームを走査されることにより形成された静電潜像を保持する複数の像保持体と、
複数の前記像保持体にそれぞれ対応して設けられ、偏向器によって偏向走査された光ビームを、反射、又は整形する複数の光学部品と、
前記光学部品が支持される部分に曲げモーメントを発生させる曲げモーメント発生手段と、
前記曲げモーメント発生手段の曲げモーメントを調整し、前記光学部品の湾曲量を調整する調整手段と、
を備えることを特徴とする画像形成装置。
【請求項４】
前記光学部品は、樹脂製であることを特徴とする請求項３に記載の画像形成装置。
【請求項５】
前記曲げモーメント発生手段は、光ビームが前記光学部品を走査する方向と交差する方向に延びた延出部材であり、
前記調整手段は、前記光学部品を光ビームが走査する方向に、前記延出部材を変位させると共に、変位量を調整可能な延出部材変位手段であることを特徴とする請求項３、又は請求項４に記載の画像形成装置。
【請求項６】
前記延出部材は、前記光学部品と一体成形によって形成されることを特徴とする請求項５に記載の画像形成装置。
【請求項７】
前記延出部材は、光ビームを反射、又は整形する領域を光ビームが走査する方向の外側に設けられていることを特徴とする請求項５、又は請求項６に記載の画像形成装置。
【請求項８】
前記延出部材変位手段は、前記光学部品を収容する収容部に設けられた基準部と前記延出部材との距離を調整し、該延出部材を変位させることを特徴とする請求項５から請求項７のいずれか１項に記載の画像形成装置。
【請求項９】
前記延出部材は、前記光学部品の走査開始側と走査終了側の両側に設けられ、
前記延出部材変位手段は、両側の前記延出部材を連結すると共に、長さを調整し、該延出部材を変位させる連結部材であることを特徴とする請求項５から請求項７のいずれか１項に記載の画像形成装置。
【請求項１０】
前記各連結部材は、異なった線膨張係数であることを特徴とする請求項９に記載の画像形成装置。
【請求項１１】
前記延出部材は、隣り合う前記光学部品の走査開始側と走査終了側のいずれか一方に交互に設けられていることを特徴とする請求項５から請求項８のいずれか１項に記載の画像形成装置。
【発明の詳細な説明】
【技術分野】
【０００１】
本発明は、光学部品湾曲装置、光学装置、及び画像形成装置に関する。
【背景技術】
【０００２】
光ビームを射出する光走査装置では、シリンドリカルレンズ等を湾曲させ、感光体上の光ビームの走査方向と直交する方向の走査位置の補正を行なっている。
【０００３】
例えば、特許文献１では、シリンドリカルレンズの両端部を支点とし、中央部を押圧することで、シリンドリカルレンズを湾曲させている（例えば、特許文献１を参照）。
【０００４】
また、例えば、特許文献２では、シリンドリカルレンズの中央部を支点とし、両端部を押圧することで、シリンドリカルレンズを湾曲させている（例えば、特許文献２を参照）。
【特許文献１】特開平５−３４６１２号公報
【特許文献２】特開２００４−１０９３３３号公報
【発明の開示】
【発明が解決しようとする課題】
【０００５】
本発明は、光学部品に集中荷重がかかることを抑制しつつ、光学部品を湾曲させることを目的とする。
【課題を解決するための手段】
【０００６】
請求項１に記載の光学部品湾曲装置は、光ビームを反射、又は整形する光学部品が支持される部分に曲げモーメントを発生させる曲げモーメント発生手段を有することを特徴としている。
【０００７】
請求項２に記載の光学装置は、光ビームを反射、又は整形する光学部品と、前記光学部品が支持される部分に曲げモーメントを発生させる曲げモーメント発生手段と、前記曲げモーメント発生手段の曲げモーメントを調整し、前記光学部品の湾曲量を調整する調整手段と、を備えることを特徴としている。
【０００８】
請求項３に記載の画像形成装置は、光ビームを走査されることにより形成された静電潜像を保持する複数の像保持体と、複数の前記像保持体にそれぞれ対応して設けられ、偏向器によって偏向走査された光ビームを、反射、又は整形する複数の光学部品と、前記光学部品が支持される部分に曲げモーメントを発生させる曲げモーメント発生手段と、前記曲げモーメント発生手段の曲げモーメントを調整し、前記光学部品の湾曲量を調整する調整手段と、を備えることを特徴としている。
【０００９】
請求項４に記載の画像形成装置は、前記光学部品は、樹脂製であることを特徴としている。
【００１０】
請求項５に記載の画像形成装置は、前記曲げモーメント発生手段は、光ビームが前記光学部品を走査する方向と交差する方向に延びた延出部材であり、前記調整手段は、前記光学部品を光ビームが走査する方向に、前記延出部材を変位させると共に、変位量を調整可能な延出部材変位手段であることを特徴としている。
【００１１】
請求項６に記載の画像形成装置は、前記延出部材は、前記光学部品と一体成形によって形成されることを特徴としている。
【００１２】
請求項７に記載の画像形成装置は、前記延出部材は、光ビームを反射、又は整形する領域を光ビームが走査する方向の外側に設けられていることを特徴としている。
【００１３】
請求項８に記載の画像形成装置は、前記延出部材変位手段は、前記光学部品を収容する収容部に設けられた基準部と前記延出部材との距離を調整し、該延出部材を変位させることを特徴としている。
【００１４】
請求項９に記載の画像形成装置は、前記延出部材は、前記光学部品の走査開始側と走査終了側の両側に設けられ、前記延出部材変位手段は、両側の前記延出部材を連結すると共に、長さを調整し、該延出部材を変位させる連結部材であることを特徴としている。
【００１５】
請求項１０に記載の画像形成装置は、前記各連結部材は、異なった線膨張係数であることを特徴としている。
【００１６】
請求項１１に記載の画像形成装置は、前記延出部材は、隣り合う前記光学部品の走査開始側と走査終了側のいずれか一方に交互に設けられていることを特徴としている。
【発明の効果】
【００１７】
請求項１記載の光学部品湾曲装置によれば、光学部品に集中荷重をかけて湾曲させるものに比べ、光学部品の破損を防止できる。
【００１８】
請求項２記載の光学装置によれば、光学部品に集中荷重をかけて湾曲させるものに比べ、光学部品の破損を防止できると共に、所定の湾曲量に調整できる。
【００１９】
請求項３記載の画像形成装置によれば、像保持体を走査する光ビームの走査線の湾曲を光学部品に集中荷重をかけて湾曲させるものに比べ、光学部品の破損を防止しつつ調整でき、各像保持体の走査線の湾曲量を所定量に調整することができる。
【００２０】
請求項４記載の画像形成装置によれば、集中荷重を加える場合に比較して、荷重部が局部的に変形することなく、光学部品が湾曲する。
【００２１】
請求項５記載の画像形成装置によれば、本構成を有しない場合に比較して、簡単な構成で光学部品を湾曲することができる。
【００２２】
請求項６記載の画像形成装置によれば、本構成を有しない場合に比較して、簡単な構成で光学部品を湾曲することができ、更にコスト、スペースとも小さくすることができる。
【００２３】
請求項７記載の画像形成装置によれば、延出部材を光学部品の走査方向内側領域内に設ける場合に比べ、光ビームに干渉せずに走査方向に延出部材を変位させ、光学部品を湾曲することができる。
【００２４】
請求項８記載の画像形成装置によれば、本構成を有しない場合に比較して、少ない部品点数で光学部品を湾曲することができる。
【００２５】
請求項９記載の画像形成装置によれば、本構成を有しない場合に比較して、調整時、他の部材に影響を与えることなく光学部品を湾曲することができる。
【００２６】
請求項１０記載の画像形成装置によれば、本構成を有しない場合に比較して、温度変化に伴う光学部品の湾曲量を異ならせることができる。
【００２７】
請求項１１記載の画像形成装置によれば、走査開始側と走査終了側の両方に延出部材を設ける場合に比べて、隣り合う光学部品の配置間隔を狭くできる。
【発明を実施するための最良の形態】
【００２８】
図１には、本発明の第一実施形態に係る光走査装置１４を備える画像形成装置１２の概略構成が示されている。この画像形成装置１２は、複数の感光体を並べ、それぞれの感光体に各色のトナー像を形成したのち、各色トナー像を重ね合わせてフルカラートナー像を形成する、所謂タンデム方式のフルカラー画像形成装置である。
【００２９】
なお、以下において、色毎に区別して各部材を示すときは、符号の後にさらに、Ｃ（シアン）、Ｍ（マゼンタ）、Ｙ（イエロー）、Ｂｋ（ブラック）のいずれかの符号を付して区別する。また、特に区別して説明する必要が無い場合は、Ｃ，Ｍ，Ｙ，Ｂｋを省略する。また、各光学部品等を光ビームが走査する方向を「走査方向」とする。
【００３０】
光走査装置１４は、箱形状の光学箱５０を備えており、光学箱５０内に、光源部材１８Ｃ、１８Ｍ、１８Ｙ、１８Ｂｋ、平面ミラー２０、平面ミラー２２、回転多面鏡２４、ｆθレンズ群２６、平面ミラー２８Ｃ、２８Ｍ、２８Ｙ、２８Ｂｋ、走査方向と直交する方向に結像機能をもったシリンドリカルミラー３０Ｃ、３０Ｍ、３０Ｙ、３０Ｂｋ等の各種光学部品等が収容されている。
【００３１】
光源部材１８Ｃ、１８Ｍ、１８Ｙ、１８Ｂｋのそれぞれの内部には、半導体レーザ３２、コリメータレンズ３４、開口絞り３６、一方向に結像機能をもったシリンドリカルレンズ３８が配置されている（図では光源部材１８Ｃのみ図示している）。そして、各色の画像情報に対応して光ビームが、半導体レーザ３２から出射され、光ビームの整形機能をもったコリメータレンズ３４によって整形される。更に、光ビームは開口絞り３６によってビーム幅を所定の幅とされ、シリンドリカルレンズ３８によって、後述する感光体４０の回転に伴い光ビームが周方向に移動する方向に対応する方向に集束される。
【００３２】
光源部材１８Ｍ、１８Ｙから出射した光ビームは、平面ミラー２０と平面ミラー２２とによって反射され、回転多面鏡２４の鏡面２４Ｒに入射する。また、光源部材１８Ｃ、１８Ｂｋから出射した光ビームは平面ミラー２２によって反射され、回転多面鏡２４の鏡面２４Ｒに入射する。
【００３３】
回転多面鏡２４は、光学箱５０の中央部分に、回転軸Ｙが鉛直方向（重力方向）となるように配置されており、図示しない回転駆動装置によって、回転軸Ｙ回りに回転する。回転多面鏡２４の鏡面２４Ｒに入射した光ビームは、回転多面鏡２４の回転による鏡面２４Ｒの移動によって、偏向走査される。
【００３４】
回転多面鏡２４によって偏向走査された光ビームは、走査結像機能を有するｆθレンズ群２６を透過したのち、それぞれが各色に対応する平面ミラー２８Ｃ、２８Ｍ、２８Ｙ、２８Ｂｋで反射し、更に、シリンドリカルミラー３０Ｃ、３０Ｍ、３０Ｙ、３０Ｂｋで反射する。なお、シリンドリカルミラー３０Ｃ、３０Ｍ、３０Ｙ、３０Ｂｋを光ビームが走査する走査方向が矢印Ｓである。
【００３５】
そして、光走査装置１４の下方側に配置された各色に対応した感光体４０Ｃ、４０Ｍ、４０Ｙ、４０Ｂｋの表面を露光する。このとき、回転多面鏡２４の回転とｆθレンズ群２６とによって、光ビームは感光体４０Ｃ、４０Ｍ、４０Ｙ、４０Ｂｋの表面を軸方向に略等速度で走査する。
【００３６】
なお、上述したシリンドリカルミラー３０Ｃ、３０Ｍ、３０Ｙ、３０Ｂｋは、平面視すると、それぞれ平行に一列に並んで配設されている（図２参照）。
【００３７】
感光体４０Ｃ、４０Ｍ、４０Ｙ、４０Ｂｋは円筒状（ドラム状）をし、それぞれ長手方向（円筒の軸方向）が走査方向と一致する。また、画像形成装置１２を走査方向に側面視すると、感光体４０Ｃ、４０Ｍ、４０Ｙ、４０Ｂｋは所定の間隔をあけて一列に並んで配置されている。
【００３８】
感光体４０Ｃ、４０Ｍ、４０Ｙ、４０Ｂｋは、帯電装置（図示省略）によって、表面が帯電する。そして、感光体４０Ｃ、４０Ｍ、４０Ｙ、４０Ｂｋがそれぞれ回転することで、露光（走査）された光ビームが周方向に移動する。このように光ビームが露光することで、感光体４０Ｃ、４０Ｍ、４０Ｙ、４０Ｂｋの表面に静電潜像が形成される。
【００３９】
感光体４０Ｃ、４０Ｍ、４０Ｙ、４０Ｂｋのそれぞれの静電潜像は、それぞれ各色に対応した現像装置（図示略）によって顕像化されることで、感光体４０Ｃ、４０Ｍ、４０Ｙ、４０Ｂｋに各色のトナー画像が形成される。
【００４０】
感光体４０Ｃ、４０Ｍ、４０Ｙ、４０Ｂｋに形成された各色トナー画像は、中間転写体、例えば、無端状の中間転写ベルト（図示略）に順次転写され、四つの色が重ね合わされることで、中間転写ベルト上にフルカラー画像が形成される。そして、中間転写ベルトに形成されたフルカラー画像が記録媒体に一括して転写され、更に定着装置（図示省略）によって定着されることで、記録媒体上に所望のフルカラー画像を得ることができる。
【００４１】
つぎに、シリンドリカルミラー３０Ｃ、３０Ｍ、３０Ｙ、３０Ｂｋについて詳しく説明する。なお、各色に対応するシリンドリカルミラー３０Ｃ、３０Ｍ、３０Ｙ、３０Ｂｋは、いずれも同様の構成をしているので、各色を区別することなく説明する。
【００４２】
図３（Ａ）に示すように、シリンドリカルミラー３０の反射面１０２は、走査方向（矢印Ｓ）と直交する方向（感光体４０の回転に伴い光ビームが周方向に移動する方向に対応する方向）にのみパワーを有しており、回転多面鏡２４の鏡面２４Ｒ（図１参照）の面倒れによる走査線のばらつきを補正する（いわゆる面倒れ補正）。シリンドリカルミラー３０は、この反射面１０２を一面に備える四角柱形状のミラー本体１０４を備えている。なお、このミラー本体１０４の長手方向は、矢印Ｓで示す走査方向と一致する。また、図３は、図１や図２等とは反射面１０２の上下を逆に図示している（図１や図２では反射面１０２は下側）。
【００４３】
ミラー本体１０４の長手方向の一方側（走査開始側）の端部には、反射面１０２に直交する方向に平面視すると、長手方向（走査方向）と略直交する方向に、互いに反対側に向かって延出する延出部材１５０Ａ、１５０Ｂが設けられている（二つを区別しない場合は単に延出部材１５０と記載して説明する）。同様に他方側（走査終了側）の端部にも延出部材１６０Ａ、１６０Ｂが設けられている（同様に、二つを区別しない場合は単に延出部材１６０と記載して説明する）。よって、シリンドリカルミラー３０の一方側と他方側のそれぞれの端部は、反射面１０２に直交する方向に平面視すると、Ｔ字形状をしている。なお、延出部材１５０、１６０は、反射面１０２よりも走査方向の外側に設けられている。
【００４４】
また、略直交とは角度９０°±３°の角度範囲を指す。なお、延出部材１５０、１６０は、長手方向に略直交していなくても良い。延出部材は長手方向（走査方向）と交差する方向に延出していれば良い。また、延出部材１５０Ａと延出部材１５０Ｂ（延出部材１６０Ａと延出部材１６０Ｂ）も同一直線上に形成されていなくても良い。例えば、延出部材１５０Ａと延出部材１５０Ｂ（延出部材１６０Ａと延出部材１６０Ｂ）とが、角度を持って（くの字状になって）いても良い。また、直線でなくて湾曲していても良い。更に、延出部材１５０Ａと延出部材１５０Ｂ（延出部材１６０Ａと延出部材１６０Ｂ）のいずれか一方のみが設けられていても良い。
【００４５】
本実施形態では、ミラー本体１０４と延出部材１５０、１６０とを別部品として形成した後、接着やその他の方法によってミラー本体１０４と延出部材１５０、１６０とを接合させ、ミラー本体１０４と延出部材１５０、１６０と一体的に構成している。なお、ミラー本体１０４と延出部材１５０、１６０とを一体成形で形成しても良い。
【００４６】
さて、ミラー本体１０４の一方と他方の端部のそれぞれ長手方向中央側には、支持孔１１０、１１２が形成されている。なお、支持孔１１０、１１２のいずれか一方の断面は、シリンドリカルミラー３０の長手方向（走査方向）を長手方向とする長孔となっている。なお、本実施形態では、一方側の支持孔１１０が長孔になっている。これら二つの支持孔１１０、１１２それぞれに、光学箱５０（図１参照）に固定された支持ピン１１１、１１３が貫通することで、シリンドリカルミラー３０は、光学箱５０に支持される。
【００４７】
また、延出部材１５０Ａ，１５０Ｂ，１６０Ａ，１６０Ｂのそれぞれ端部から長手方向中央側には、走査方向に貫通する貫通孔１２０Ａ，１２０Ｂ，１３０Ａ，１３０Ｂが形成されている。
【００４８】
そして、図３（Ｂ）の矢印Ｆ１で示すように、延出部材１５０Ａ，１６０Ａを外側から内側に向かって荷重をかけ延出部材１５０、１６０を走査方向に変位させると、支持孔１１０、１１２部分に曲げモーメントが発生する。そして、この曲げモーメントによって、シリンドリカルミラー３０が湾曲する（判りやすくするため、図３は実際よりも大きく湾曲させている）。なお、矢印Ｆ２で示すように、延出部材１５０Ｂ，１６０Ｂを内側から外側に向かって荷重をかけて、延出部材１５０、１６０を変位させても良い。
【００４９】
また、矢印Ｆ１，矢印Ｆ２の方向と逆向きの荷重を加えると図３（Ｂ）とは、逆向きに湾曲する（図３においては凸が上向きとなるように湾曲する）。
【００５０】
図２に示すように、シリンドリカルミラー３０Ｂｋ，３０Ｙ，３０Ｍ，３０Ｃの長手方向の両端部分は、光学箱５０の側面部５２、５４に形成された窓５６Ｂｋ、５６Ｙ，５６Ｍ，５６Ｃから突出している。つまり、延出部材１５０Ｂｋ，Ｙ，Ｍ，Ｃは光学箱５０の外側に露出している。なお、窓５６Ｂｋ，５６Ｙ，５６Ｍ，５６Ｃとシリンドリカルミラー３０Ｂｋ，Ｙ，３０Ｍ、３０Ｃとの隙間は、外部の埃などが光学箱５０の内部に進入しないように、シール部材（図示略）によってシールされている。
【００５１】
図３に示すように、シリンドリカルミラー３０の延出部材１５０、１６０の両端部分には貫通孔１２０Ａ，１２０Ｂ，１３０Ａ，１３０Ｂが長手方向（走査方向）に形成されている。そして、ビス１２５が、貫通孔１２０Ａ，１２０Ｂ、１３０Ａ，１３０Ｂに通され、光学箱５０の側面部５２、５４のネジ穴（図示略）にねじ込まれている。
【００５２】
そして、側面部５２、５４のネジ穴へのビス１２５のねじ込み量を調整することで、延出部材１５０、１６０が走査方向に変位し、シリンドリカルミラー３０が湾曲する（図３（Ｂ）を参照）。なお、湾曲方向（凸となる方向）は、図２における上方向及び下方向のいずれでも可能である。
【００５３】
さて、上述したように、本実施形態の画像形成装置１２は、各色トナー像を重ね合わせてフルカラー画像を形成している。よって、各色トナー像を精度良く重ね合わせないと、所謂、色ズレとなる。
【００５４】
この色ズレの原因の一つとして、図７（Ａ）に示すように、各感光体４０Ｂｋ，４０Ｙ，４０Ｍ，４０Ｃ上を走査する光ビームの走査線（ＢＯＷ（Ｂｋ）〜ＢＯＷ（Ｃ））がそれぞれ異なった曲率で走査方向と直交する方向（感光体４０の回転に伴い光ビームが周方向に移動する方向）に弓なりに湾曲（ＢＯＷ）することがあげられる。このため、図７（Ｂ）に示すように、走査線（ＢＯＷ（Ｂｋ）〜ＢＯＷ（Ｃ））の湾曲を補正して揃える、所謂、「ＢＯＷ補正」を行い、色ズレを補正している。
【００５５】
そして、本実施形態の画像形成装置１２では、前述した光学箱５０の側面部５２、５４のネジ穴へのビス１２５のねじ込み量を調整して各シリンドリカルミラー３０Ｂｋ，３０Ｙ，３０Ｍ，３０Ｃの延出部材１５０Ｂｋ，１５０Ｙ，１５０Ｍ，１５０Ｃと延出部材１６０Ｂｋ、１６０Ｙ，１６０Ｍ，１６０Ｃの走査方向の変位量、すなわち、各シリンドリカルミラー３０Ｂｋ，３０Ｙ，３０Ｍ，３０Ｃの支持孔１１０、１１２に発生させる曲げモーメントを調整し、各シリンドリカルミラー３０Ｂｋ，３０Ｙ，３０Ｍ、３０Ｃの湾曲量を調整することで、ＢＯＷ補正を行なっている（図３（Ｂ）を参考）。
【００５６】
なお、本実施形態では、図２に示すように、シリンドリカルミラー３０は、光学箱５０の側面部５２、５４から延出部材１５０、１６０が露出していたが、これに限定されない。シリンドリカルミラー３０の延出部材１５０、１６０が光学箱内に収まっている構成であっても良い。
【００５７】
また、ビス１２５を側面部５２、５４のネジ穴にねじ込み、シリンドリカルミラー３０の延出部材１５０、１６０を変位させていたが、これに限定されない。光学箱５０のその他の部位にネジ穴を形成してビスをねじ込んで延出部材１５０、１６０を変位させる構成であっても良い。
【００５８】
つぎに本発明に係る第二実施形態の光走査装置２１４について説明する。なお、第一実施形態と重複する説明は省略する。
【００５９】
図４に示すように、シリンドリカルミラー２３０は、隣り合うシリンドリカルミラー２３０の一方（走査開始側）と他方側（走査終了側）のいずれか一方に、交互に延出部材２５０又は延出部材２６０が設けられている。具体的には、シリンドリカルミラー２３０Ｂｋには一方の端部に延出部材２５０Ｂｋが設けられ、シリンドリカルミラー２３０Ｙには他方の端部に延出部材２６０Ｙが設けられ、シリンドリカルミラー２３０Ｍには一方の端部に延出部材２５０Ｍが設けられ、シリンドリカルミラー２３０Ｃには他方の端部に延出部材２６０Ｃが設けられている。
【００６０】
そして、走査方向（矢印Ｓ）に見ると隣り合うシリンドリカルミラー３０の延出部材２５０と延出部材２６０とが重なるように配置している。
【００６１】
また、シリンドリカルミラー２３０の延出部材２５０、２６０は光学箱２７０の側面部２７２、２７４から露出している。そして、ビス１２５を側面部２７２、２７４のネジ穴にねじ込み、シリンドリカルミラー２３０の延出部材２５０、２６０を走査方向に変位させる。
【００６２】
なお、本実施形態も第一実施形態と同様に、シリンドリカルミラー２３０の延出部材２５０、２６０が光学箱２７０内に収まっていても良い。また、光学箱２７０のその他の部位にネジ穴を形成してビス１２５をねじ込んで延出部材２５０、２６０を変位させる構成であっても良い。
【００６３】
つぎに本発明に係る第三実施形態の光走査装置３１４について説明する。なお、第一実施形態と重複する説明は省略する。
【００６４】
図５に示すように、シリンドリカルミラー３３０の延出部材３５０、３６０は光学箱３５０の側面部３５２、３５４から露出している。
【００６５】
シリンドリカルミラー３３０の一方側（走査開始側）の延出部材３５０と他方側（走査終了側）の延出部材３６０とが、ワイヤーやピアノ線などの線状部材３３２で連結されている。そして、線状部材３３２の長さを調整（短く）することで、すなわち、シリンドリカルミラー３３０の一方の延出部材３５０と他方の延出部材３６０との距離を調整することで（狭くすることで）、延出部材３５０、３６０を変位させてシリンドリカルミラー３３０を湾曲させる。
【００６６】
また、各線状部材３３２Ｂｋ、３３２Ｙ，３３２Ｍ，３３２Ｃは、例えば、温度変化の違いや長さの違いに応じて、線膨張係数を異ならせている。例えば、各線状部材３３２Ｂｋ、３３２Ｙ，３３２Ｍ，３３２Ｃの線膨張係数を、各シリンドリカルミラー３３０Ｂｋ、３３０Ｙ，３３０Ｍ，３３０Ｃが配置された場所の温度上昇の違いに応じて選択する。つまり、温度上昇が大きな場所ほど線膨張係数を小さくする。例えば、記録媒体にフルカラートナー像を定着させる定着装置などの熱源からの距離に応じて線状部材３３２の線膨張係数を選択する。例えば、熱源に最も近いのがシリンドリカルミラー３３０Ｂｋで最も遠いのがシリンドリカルミラー３３０Ｃとすると、線状部材３３２Ｂｋの線膨張係数を最も小さくし、以降、線状部材３３２Ｙ、線状部材３３２Ｍ、線状部材３３２Ｃの順番に線膨張係数を大きくしていく。
【００６７】
なお、線膨張係数が異なる線状部材３３２の材料例としては、
SUS304：1.73(×10-5)
SUS316：1.60(×10-5)
SUS430：1.04(×10-5)
燐青銅線：1.80(×10-5)
硬鋼線：1.20(×10-5)
などがある。
【００６８】
なお、ワイヤーやピアノ線などの線状部材３３２は、延出部材３５０と延出部材３６０との距離を狭める方向にしか、延出部材３５０、３６０を変位させることができないので、凸状に湾曲したい方向と反対側の延出部材３５０Ａと延出部材３６０Ａ、又は、延出部材３５０Ｂと延出部材３６０Ｂ、を連結する。図５では、シリンドリカルミラー３３０Ｂｋとシリンドリカルミラー３３０Ｙは、図５においての下向きに凸状に湾曲し、シリンドリカルミラー３３０Ｍとシリンドリカルミラー３３０Ｃは、図５においての上向きに凸状に湾曲する。
【００６９】
なお、本実施形態では、シリンドリカルミラー３３０の一方の延出部材３５０と他方の延出部材３６０とは、ワイヤーやピアノ線などの線状部材３３２で連結されていたが、これに限定されない。一方の延出部材３５０と他方の延出部材３６０とを連結すると共に、長さが調整可能な連結部材であれば良い。例えば、棒状の連結部材であっても良い。なお、棒状の連結部材の場合は、延出部材３５０と延出部材３６０との距離を広げて延出部材３５０、３６０を変位させることも可能である。
【００７０】
また、本実施形態も第一実施形態及び第二実施形態と同様に、シリンドリカルミラー３３０の延出部材３５０、３６０が光学箱３５０内に収まっていても良い。
【００７１】
つぎに、本発明の第四実施形態の光走査装置４１４について説明する。
【００７２】
図６に示すように、光走査装置４１４には、面倒れ補正を行なうための樹脂製のシリンドリカルレンズ４３０が設けられている。なお、図６ではシリンドリカルレンズ４３０は一つのみ図示しているが、実際には第一実施形態と同様、各色に対応して四つ設けられている。
【００７３】
図６に示すように、シリンドリカルレンズ４３０のレンズ本体４３２は、走査方向を長手方向とする四角柱形状をしている。レンズ本体４３２の一方（走査開始側）と他方（走査終了側）の端部部分には、支持孔４４１、４４３が走査方向と直交する方向（感光体４０の回転に伴い光ビームが周方向に移動する方向に対応する方向）に形成された凸部４４０、４４２が、一体成形されている。この凸部４４０、４４２の支持孔４４１、４４３に、トーションバースプリング４５０、４６０の軸部４５２、４６２が挿入されている。なお、この軸部４５２、４６２は、支持孔４４１、４４３中で回転しないようになっている。
【００７４】
トーションバースプリング４５０、４６０は、軸部４５２、４６２の上部から軸部４５２、４６２と直交する方向を長手方向とする板状の調整部４５４、４６４を備えている。この調整部４５４、４６４を軸部４５２、４６２回りに回転させることで、軸部４５２、４６４が捩れ、その反力によって凸部４４０、４４２に曲げモーメントが発生する。そして、この曲げモーメントによってシリンドリカルレンズ４３０が湾曲する。
【００７５】
光学箱４９０の側面部４９２と側面部４９４とに掛け渡された固定部４９６に形成された複数の調整穴４９８、４９９にピン５０１、５０２が挿入され、ピン５０１、５０２にトーションバースプリング４５０、４６０の調整部４５４、４６４が引っ掛けられている。調整穴４９８、４９９は、シリンドリカルレンズ４３０の支持孔４４１、４４３（トーションバースプリング４５０、４６０の軸部４４２、４６２）を中心とする円周上に複数形成されている。そして、ピン５０１、５０２を挿入する調整穴４９８、４９９を変えることで、トーションバースプリング４５０、４６０の調整部４５４、４６４の回転量を調整、すなわち、シリンドリカルレンズ４３０の凸部４４０、４４２に発生する曲げモーメントを調整し、シリンドリカルレンズ４３０の湾曲量を調整することがきる。
【００７６】
なお、本発明は上記実施形態に限定されない。本発明の要旨を逸脱しない範囲において種々なる態様で実施し得る。
【００７７】
例えば、上記実施形態では、四つの感光体４０Ｂｋ，４０Ｙ，４０Ｍ，４０Ｃを露光する四本の光ビームを一つの光走査装置１４、２１４、３１４、４１４から射出していたが、これに限定されない。例えば、各感光体毎に一つの光走査装置（合計で四つの光走査装置）を備える画像形成装置であっても良い。
【００７８】
また、上記実施形態では、四つの感光体４０Ｂｋ，４０Ｙ，４０Ｍ，４０Ｃを備えていたが、これに限定されない。３つ以下、或いは５つ以上の感光体を備える画像形成装置であっても良い。
【００７９】
また、例えば、上記実施形態では、本発明を適用する光学部品の一例として、シリンドリカルミラー３０、２３０、３３０、及び、シリンドリカルレンズ４３０に適用したが、これに限定されない。光走査装置の他のレンズやミラー等の、光ビームを反射、又は整形する光学部品にも本発明を適用できる。
【００８０】
更に、上記実施形態では、画像形成装置の光走査装置の光学部品に本発明を適用したが、これに限定されない。他の光学装置に用いられているレンズやミラー等の、光ビームを反射、又は整形する光学部品にも本発明を適用できる。例えば、バーコードの読取装置に用いられている光学部品にも本発明を適用できる。
【図面の簡単な説明】
【００８１】
【図１】本発明の第一実施形態に係る光走査装置を備える画像形成装置の概略構成図である。
【図２】本発明の第一実施形態に係る光走査装置の要部を平面視し、模式的に示す図である。
【図３】（Ａ）はシリンドリカルミラーを示す斜視図であり、（Ｂ）はシリンドリカルミラーが湾曲した状態を示す平面図である。
【図４】本発明の第二実施形態に係る光走査装置の要部を平面視し、模式的に示す図である。
【図５】本発明の第三実施形態に係る光走査装置の要部を平面視し、模式的に示す図である。
【図６】本発明の第四実施形態に係る光走査装置の要部を模式的に示す斜視図である。
【図７】ＢＯＷ補正について説明する説明図である。
【符号の説明】
【００８２】
１２      画像形成装置
１４      光走査装置（光学装置）
２４      回転多面鏡（偏向器）
３０      シリンドリカルミラー（光学部品）
４０Ｂｋ  感光体（像保持体）
４０Ｙ    感光体（像保持体）
４０Ｍ    感光体（像保持体）
４０Ｃ    感光体（像保持体）
５２      側面部（基準部）
５４      側面部（基準部）
１１０      支持孔（光学部品が支持される部分）
１１２      支持孔（光学部品が支持される部分）
１２５      ビス（延出部材変位手段）
１５０      延出部材
１６０      延出部材
２１４      光走査装置（光学装置）
２３０      シリンドリカルミラー（光学部品）
２５０      延出部材
２６０      延出部材
２７２      側面部（基準部）
２７４      側面部（基準部）
３１４      光走査装置（光学装置）
３３０      シリンドリカルミラー（光学部品）
３３２      線状部材（連結部材）
３５０      延出部材
３６０      延出部材
４１４      光走査装置（光学装置）
４３０      シリンドリカルレンズ（光学部品）
４４０      凸部（光学部品が支持される部分）
４４２      凸部（光学部品が支持される部分）
４５０      トーションバースプリング（曲げモーメント発生手段）
４６０      トーションバースプリング（曲げモーメント発生手段）
４９８      調整穴（調整手段）
４９９      調整穴（調整手段）
５０１      ピン（調整手段）
５０２      ピン（調整手段）
【図１】
2008058414.tif 000003
【図２】
2008058414.tif 000004
【図３】
2008058414.tif 000005
【図４】
2008058414.tif 000006
【図５】
2008058414.tif 000007
【図６】
2008058414.tif 000008
【図７】
2008058414.tif 000009